(57)【要約】【課題】従来技術の欠点を解消することができる持ち運び可能な各種タイプの物品の被覆装置を提供する。【解決手段】この装置は、プラスチックシートで物品の被覆をするものである。この装置は、作業平面（２）と協働してシートをシール・切断する手段（１０、２１）と、連続するプラスチックシートのロール（１）から適当な大きさのシートを巻き出して作業平面（２）上に位置させる手段（３０、５０）とを備えている。【選択図】図３
2009527372.tif 000002
【特許請求の範囲】
【請求項１】
プラスチックシート（１）で物品（６）を被覆する装置であって、作業平面（２）と協働してそのシートのシール・切断手段（１０、２１）を備える装置において、
連続するプラスチックシートのロール（１）を、前記連続するプラスチックシートの後続部分を巻き出して、前記作業平面（２）上に位置させる位置決め手段（３０、５０）を備えることを特徴とする装置。
【請求項２】
前記位置決め手段（３０、５０）が前記作業平面（２）と一体的に接続している請求項１に記載の装置。
【請求項３】
前記連続するプラスチックシートの側部ガイド（３）を備える請求項１に記載の装置。
【請求項４】
前記側部ガイド（３）が前記プラスチックシートを挿入するスリット（５）を備える請求項３に記載の装置。
【請求項５】
前記プラスチックシートの側部ガイド（３）が前記ロールの位置決め手段（３０、５０）と一体的に接続している請求項３に記載の装置。
【請求項６】
前記位置決め手段が前記ロール（１）を収納する凹部（５０）を備えている請求項１に記載の装置。
【請求項７】
前記シール・切断手段（１０、２１）が第１及び第２要素を備え、前記第１要素は電流が流れる熱によるシール・切断ブレード（１０）を有し、前記第２要素（２１）はシール及び切断する対向ブレードを有し、前記第１要素（１０）は作業平面（２）に属し、前記第２要素（２１）は前記物品（６）がプラスチックシートで被覆されるときには通常作業平面から分離され、シール・切断ブレードがシール及び切断する対向ブレードと協働する作業平面（２）の作業位置において結合する請求項１に記載の装置。
【請求項８】
前記第１要素（１０）の端部に配置され、前記第２要素（２１）と結合するためのピン（２０）を備える請求項７に記載の装置。
【請求項９】
前記作業平面（２）にヒンジで固定された別の作業平面（７）を備える請求項１に記載の装置。
【請求項１０】
前記作業平面（２）から取り外し可能な別の作業平面（７）を備える請求項１に記載の装置。
【発明の詳細な説明】
【技術分野】
【０００１】
本発明は各種タイプの物品の被覆装置に関し、更に詳しくは本のような物品をプラスチックシートで被覆する被覆装置に関する。
【背景技術】
【０００２】
従来より、本をプラスチックシートで被覆する装置が知られている。その１つとして、特許文献１には、作業平面と協働してシートをシール及び切断する部品を備えた装置が開示されている。この部品は、第１及び第２要素から構成され、少なくとも第１要素は第２要素に対して可動であり、その第２要素は作業平面において反対側に設置されている。第１要素は、電流が流れるシール・切断ブレードを有し、第２要素はシール及び切断する対向ブレードを有している。また、シール・切断ブレードを、待機位置から対向ブレードと共にシール及び切断作業を行う位置まで移動させる駆動手段も備えている。第１要素と駆動手段とは、作業平面に着脱可能に取り付けられたユニットに含まれている。更に、そのユニットは、前述のブレードを待機位置に保持するための弾性保持手段を備えている。
【０００３】
上記の装置は、連続するプラスチックシートを扱うことができないため、本を被覆するプラスチックシートは１枚ごとのプラスチックシートのみとなる。そのため、複数の物品を被覆する作業は、プラスチックシートを作業毎に１枚ずつ用意しなければならないため、ユーザにとって退屈なものとなる。更には、それぞれのプラスチックシートの残りを再使用することができないため、作業コストは高くなる。
【特許文献１】国際公開第０３／００４２８２号パンフレット
【発明の開示】
【発明が解決しようとする課題】
【０００４】
本発明の目的は、上述した従来技術の欠点を解消することができる持ち運び可能な各種タイプの物品の被覆装置を提供することにある。
【課題を解決するための手段】
【０００５】
上記の目的を達成する本発明の各種タイプの物品の被覆装置は、プラスチックシート１で物品６を被覆する装置であって、作業平面２と協働してそのシートのシール・切断手段１０、２１を備える装置において、連続するプラスチックシートのロール１を、前記連続するプラスチックシートの後続部分を巻き出して、前記作業平面２上に位置させる位置決め手段３０、５０を備えることを特徴とするものである。
【発明の効果】
【０００６】
本発明の各種タイプの物品の被覆装置によれば、プラスチックシート１で物品６を被覆する装置であって、作業平面２と協働してそのシートのシール・切断手段１０、２１を備えた装置において、連続するプラスチックシートのロール１を、前記連続するプラスチックシートの後続部分を巻き出して、前記作業平面２上に位置させる位置決め手段３０、５０を備えるようにしたので、複数の物品を被覆する作業がユーザーにとって退屈なものとはならず、かつその作業のコストが増大することはない。
【発明を実施するための最良の形態】
【０００７】
本発明は以下の図面に示される実施形態により一層明らかになるが、それらの実施形態及び図面は本発明に何ら制限を与えるものではない。
【０００８】
図１〜５は、本発明の第１実施形態からなる各種タイプの物品の被覆装置を示す。
【０００９】
この装置は、異なるタイプの物品及び特に本の被覆に好適に用いられる可撓性プラスチック材料からなる連続するシートのロール１を用いるものであり、作業平面又は作業表面２を備えている。ロール１は、作業平面２の後部分１５の近傍に配置される。
【００１０】
装置は、プラスチック材料が連続するロール１の位置決めをする位置決め手段３０を備えており、その位置決め手段３０は作業平面２と一体となっている。
【００１１】
作業平面２は両側部に、ロール１から巻き出されたプラスチックシートを案内するのに適した突出部３を有している（図１）。ロール１は、ボール紙などからなる芯構造を有していない。また、ロール１のプラスチックシートは、その間に本６などの物品の被覆が上向きで置かれる側部４を有している。位置決め手段３０は、図１〜５に示すように、突出部３を延長したものであることが望ましい。
【００１２】
プラスチックシートの取り出し縁は、本６を定置できる距離だけ作業平面２から持ち上がらなければならない（図２）。プラスチックシートは、突出部３と作業平面２との間に形成されるスリット５内に位置しなければならない。
【００１３】
作業平面２は、追加の作業平面７を有することが望ましく、その作業平面７は、作業平面２にヒンジ部８で取り付けられることが好ましい。この作業平面７に、プラスチックシートの側帯４の内側において被覆された本７を定置する。
【００１４】
作業平面２の正面端部９、すなわち突出部３の端部に隣接する領域には、図６に示すように、熱によるシール・切断ブレード１０が設けられている。このブレード１０は、ネジ１２により作業平面２に固定された真鍮製シート１１上に設置されており、ブレード１０と真鍮製シート１１との間にはテフロン層１３が配置されている。また、ブレード１０自体は、別のテフロン層１４により覆われている。ブレード１０には、図示しない適当な電流源から発生した電流が流れる。
【００１５】
ブレード１０の両端近傍に設置されたピン２０は、溶着・切断する対向ブレード２１の取り付けに用いられる。これらピン２０は、対向ブレード２１のガイドしての役割ももつ。
【００１６】
プラスチックシートを切断するには、ロール１からプラスチックシートを切断領域まで巻き出す。その後に、対向ブレード２１を作業位置又は切断位置においてブレード１０と協働させる。最後に、対向ブレード２１をガイドピン２０に沿ってブレード１０に向けて押圧することで切断する（図３）。
【００１７】
その後、ロール１は巻き戻されるが、完全にではなく、プラスチックシートがガイド３のスリット５から出ないようにする（図４）。このようにして、次回のプラスチックシートの切断のために作業平面２を自由な状態にしておく（図５）。
【００１８】
図７及び９は、本発明の第２実施形態からなる各種タイプの物品の被覆装置を示す。
【００１９】
図１〜６に示す第１実施形態との相違は、前出の位置決め手段３０が、プラスチックシートのロール１を収納する凹部５０であることのみである。この凹部５０は作業平面２と一体構造である。
【００２０】
図８は、本発明の第３実施形態からなる各種タイプの物品の被覆装置を示す。
【００２１】
図８に示す被覆装置は、追加の作業平面７が正面端部９にヒンジで固定されておらず、そこから外されて被覆装置を閉止する要素となるので、図７に示す被覆装置とは異なっている。
【図面の簡単な説明】
【００２２】
【図１】本発明の第１実施形態からなる持ち運び可能な各種タイプの物品の被覆装置における様々な作業手順を示す図である。
【図２】本発明の第１実施形態からなる持ち運び可能な各種タイプの物品の被覆装置における様々な作業手順を示す図である。
【図３】本発明の第１実施形態からなる持ち運び可能な各種タイプの物品の被覆装置における様々な作業手順を示す図である。
【図４】本発明の第１実施形態からなる持ち運び可能な各種タイプの物品の被覆装置における様々な作業手順を示す図である。
【図５】本発明の第１実施形態からなる持ち運び可能な各種タイプの物品の被覆装置における様々な作業手順を示す図である。
【図６】図１に示す被覆装置における部品の分解図である。
【図７】本発明の第２実施形態からなる持ち運び可能な各種タイプの物品の被覆装置である。
【図８】本発明の第３実施形態からなる持ち運び可能な各種タイプの物品の被覆装置である。
【図９】図７に示す被覆装置の一部断面図である。
【符号の説明】
【００２３】
１  ロール
２  作業平面
３  突出部
４  側帯
５  スリット
６  本
７  追加の作業平面
８  ヒンジ部
９  正面端部
１０  シール・切断ブレード
１１  真鍮製シート
１２  ネジ
１３  テフロン層
１４  別のテフロン層
１５  後部分
２０  ガイドピン
２１  対向ブレード
３０  位置決め手段
５０  凹部
【図１】
2009527372.tif 000003
【図２】
2009527372.tif 000004
【図３】
2009527372.tif 000005
【図４】
2009527372.tif 000006
【図５】
2009527372.tif 000007
【図６】
2009527372.tif 000008
【図７】
2009527372.tif 000009
【図８】
2009527372.tif 000010
【図９】
2009527372.tif 000011
【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
プラスチックシート（１）で物品（６）を被覆する装置であって、作業平面（２）と協働してそのシートのシール・切断手段（１０、２１）と、連続するプラスチックシートの後続部分を巻き出して、前記作業平面（２）上に位置させる位置決め手段（３０、５０）とを備える装置において、
前記連続するプラスチックシートの側部ガイド（３）を備え、該側部ガイド（３）は前記プラスチックシートを挿入するスリット（５）を備えることを特徴とする装置。
【請求項２】
前記位置決め手段（３０、５０）が前記作業平面（２）と一体的に接続している請求項１に記載の装置。
【請求項３】
前記プラスチックシートの側部ガイド（３）が前記ロールの位置決め手段（３０、５０）と一体的に接続している請求項１又は２に記載の装置。
【請求項４】
前記位置決め手段が前記ロール（１）を収納する凹部（５０）を備えている請求項１に記載の装置。
【手続補正２】
【補正対象書類名】明細書
【補正対象項目名】０００３
【補正方法】変更
【補正の内容】
【０００３】
上記の装置は、連続するプラスチックシートを扱うことができないため、本を被覆するプラスチックシートは１枚ごとのプラスチックシートのみとなる。そのため、複数の物品を被覆する作業は、プラスチックシートを作業毎に１枚ずつ用意しなければならないため、ユーザにとって退屈なものとなる。更には、それぞれのプラスチックシートの残りを再使用することができないため、作業コストは高くなる。特許文献２は、本発明の前提となるプラスチックシートを用いて物品を被覆する装置を開示している。
【特許文献１】国際公開第０３／００４２８２号パンフレット
【特許文献２】米国特許第３７１３９４１号明細書
【手続補正３】
【補正対象書類名】明細書
【補正対象項目名】０００５
【補正方法】変更
【補正の内容】
【０００５】
上記の目的を達成する本発明の各種タイプの物品の被覆装置は、請求項１に記載したとおりのものである。
【国際調査報告】
2009527372.tif 000012
2009527372.tif 000013
2009527372.tif 000014
2009527372.tif 000015
2009527372.tif 000016